(57)【要約】【課題】表示内容の視認性を低下させることなく、省電力化を図ること。【解決手段】液晶パネル３０６とバックライト３０７とからなる表示部３０１を備えた情報処理装置１００において、液晶パネル３０６を制御して、明度に関する情報を含む表示制御情報にしたがって表示部３０１に表示内容を表示する表示制御部３０３と、バックライト３０７の光量を調整する光量調整部３０４と、光量調整部３０４によって調整された光量に応じて、表示制御情報における明度の値を補正する補正部３０５と、を設け、補正部３０５によって補正された明度の値を用いて表示制御部３０３によって表示内容を表示するようにした。【選択図】図３
2008112133.tif 000002
【特許請求の範囲】
【請求項１】
液晶パネルとバックライトとからなる表示部を備えた電子機器において、
前記液晶パネルを制御して、明度に関する情報を含む表示制御情報にしたがって前記表示部に表示内容を表示する表示制御手段と、
前記バックライトの光量を調整する光量調整手段と、
前記光量調整手段によって調整された光量に応じて、前記表示制御情報における明度の値を補正する補正手段と、
を備え、
前記表示制御手段は、前記補正手段によって補正された明度の値を用いて表示内容を表示することを特徴とする電子機器。
【請求項２】
前記補正手段は、前記バックライトの光量が所定の閾値を下回った場合の前記表示部における輝度の値に応じて、前記明度の値を補正することを特徴とする請求項１に記載の電子機器。
【請求項３】
前記補正手段は、前記バックライトの光量が所定の閾値を下回り、かつ、前記表示部における輝度の値が所定の閾値未満である場合に、前記明度の値を高くするように補正することを特徴とする請求項２に記載の電子機器。
【請求項４】
前記補正手段は、前記バックライトの光量が所定の閾値を下回り、かつ、前記表示部における輝度の値が所定の閾値以上である場合に、前記明度の値を補正しないことを特徴とする請求項２に記載の電子機器。
【請求項５】
前記表示制御手段は、さらに彩度に関する情報を含む表示制御情報にしたがって前記表示部に表示内容を表示し、
前記補正手段は、補正後の前記明度の値に応じて前記彩度の値を補正することを特徴とする請求項１〜４のいずれか一つに記載の電子機器。
【請求項６】
前記補正手段は、補正後の前記明度の値に応じて前記彩度の値を高くするように補正することを特徴とする請求項５に記載の電子機器。
【請求項７】
前記液晶パネルは、前記表示内容に比較して広い色域を有しており、
前記光量調整手段は、前記表示内容以下の色域しか有しない液晶パネルよりも、光量をさらに低く設定することを特徴とする請求項１記載の電子機器。
【発明の詳細な説明】
【技術分野】
【０００１】
この発明は、電子機器に関する。
【背景技術】
【０００２】
従来、液晶パネルとバックライトとからなる表示部を備えた電子機器のうち可搬性を有する携帯型の電子機器においては、たとえば、使用時間を長くすることを目的として、消費電力の低減を図るようにした各種技術があった。具体的には、たとえば、画像データにおける輝度の平均値をフレームごとに検出し、各フレームにおける輝度の平均値が利用者が見やすいとされる値の範囲内となるようにバックライトの光量を低下させることで、画像の輝度の値をフレームごとに補正するようにした技術があった（たとえば、Ｐｈｏｔｏ  Ｆｉｎｅ  Ｐｌａｙｅｒ  Ｐ−４５００（セイコーエプソン株式会社製）を参照。）。
【発明の開示】
【発明が解決しようとする課題】
【０００３】
しかしながら、上述した従来の技術では、画像データにおける輝度の平均値に応じて、バックライトの光量をフレームごとに低下させているため、画像データにおける輝度の値によっては十分な省電力化を図ることができないという問題があった。
【課題を解決するための手段】
【０００４】
この発明にかかる電子機器は、液晶パネルとバックライトとからなる表示部を備えた電子機器において、前記液晶パネルを制御して、明度に関する情報を含む表示制御情報にしたがって前記表示部に表示内容を表示する表示制御手段と、前記バックライトの光量を調整する光量調整手段と、前記光量調整手段によって調整された光量に応じて、前記表示制御情報における明度の値を補正する補正手段と、を備え、前記表示制御手段は、前記補正手段によって補正された明度の値を用いて表示内容を表示することを特徴とする。
【０００５】
この発明によれば、表示部に表示される情報の見かけ上の輝度を維持したまま、バックライトの光量を確実に低下させることができる。これによって電子機器は、表示部に表示された表示内容の視認性を低下させることなく、省電力化を図ることができる。そして、これによって電子機器の利用者は、情報が見易く表示された電子機器を長時間使用することができる。
【０００６】
また、この発明にかかる電子機器における前記補正手段は、前記バックライトの光量が所定の閾値を下回った場合の前記表示部における輝度の値に応じて、前記明度の値を補正することを特徴とする。
【０００７】
この発明によれば、表示制御情報における元の明度の値に応じて、明度の値を必要時に限って補正することができる。これによって電子機器は、明度の値の補正にかかる処理負担を抑制しつつ、表示部に表示された表示内容の視認性を低下させることなく、省電力化を図ることができる。そして、これによって電子機器の利用者は、情報が見易く表示された電子機器を長時間使用することができる。
【０００８】
また、この発明にかかる電子機器における前記補正手段は、前記バックライトの光量が所定の閾値を下回り、かつ、前記表示部における輝度の値が所定の閾値未満である場合に、前記明度の値を高くするように補正することを特徴とする。
【０００９】
この発明によれば、表示制御情報における元の明度の値に応じて、表示部に表示された表示内容の見かけ上の輝度が、利用者が見やすいとされる輝度に到達していない場合に限って、明度の値を補正することができる。これによって電子機器は、明度の値の補正にかかる処理負担を抑制しつつ、表示部における表示内容の視認性を低下させることなく、省電力化を図ることができる。そして、これによって電子機器の利用者は、情報が見易く表示された電子機器を長時間使用することができる。
【００１０】
また、この発明にかかる電子機器における前記補正手段は、前記バックライトの光量が所定の閾値を下回り、かつ、前記表示部における輝度の値が所定の閾値以上である場合に、前記明度の値を補正しないことを特徴とする。
【００１１】
この発明によれば、バックライトの光量が所定の閾値を下回っていても表示部に表示された表示内容の見かけ上の輝度が、利用者が見やすいとされる輝度に到達している場合には、明度の値の補正にかかる処理を省くことができる。これによって電子機器は、明度の値の補正にかかる処理負担を抑制しつつ、表示部における表示内容の視認性を低下させることなく、省電力化を図ることができる。そして、これによって電子機器の利用者は、情報が見易く表示された電子機器を長時間使用することができる。
【００１２】
また、この発明にかかる電子機器における前記表示制御手段は、さらに彩度に関する情報を含む表示制御情報にしたがって前記表示部に表示内容を表示し、前記補正手段は、補正後の前記明度の値に応じて前記彩度の値を補正することを特徴とする。
【００１３】
この発明によれば、表示画面を照明する光量を低下させることによってコントラストが低下した場合には、彩度の値を補正することで表示画面に表示される情報のくすみを改善することができるので、表示画面に表示される情報の見かけ上の輝度を維持したまま、表示画面を照明する光量を確実に低下させることができる。これによって電子機器は、表示画面に表示される情報の視認性を低下させることなく、省電力化を図ることができる。そして、これによって電子機器の利用者は、情報が見易く表示された電子機器を長時間使用することができる。
【００１４】
また、この発明にかかる電子機器における前記補正手段は、補正後の前記明度の値に応じて前記彩度の値を高くするように補正することを特徴とする。
【００１５】
人間の視覚は、明度の値が或る範囲内にあると色を認識し易く、明度の値が或る範囲外にあると色を認識しにくくなる傾向にあるという色視覚特性を有する。また、人間の視覚は、彩度および明度が低い色（黒に近い色）である方が、色を認識しにくい傾向にあるという色視覚特性を有する。
【００１６】
この発明によれば、彩度の値が高くなるように補正することで、表示部における表示内容のくすみ感を効果的に改善することができるので、表示部における表示内容の見かけ上の輝度を維持したまま、バックライトの光量を確実に低下させることができる。これによって電子機器は、表示部における表示内容の視認性を低下させることなく、省電力化を図ることができる。そして、これによって電子機器の利用者は、情報が見易く表示された電子機器を長時間使用することができる。
【００１７】
また、この発明にかかる電子機器における前記液晶パネルは、前記表示内容に比較して広い色域を有しており、前記光量調整手段は、前記表示内容以下の色域しか有しない液晶パネルよりも、光量をさらに低く設定することを特徴とする。
【００１８】
この発明によれば、表示内容よりも広い色域を有する液晶パネルを利用することにより、彩度を飽和させることなく、バックライトの光量をさらに低下させることができるので、消費電力をさらに低減することができる。
【発明を実施するための最良の形態】
【００１９】
以下に添付図面を参照して、この発明にかかる電子機器の好適な実施の形態を詳細に説明する。この実施の形態では、この発明にかかる電子機器を情報処理装置に適用した例である。
【００２０】
（情報処理装置の外観）
図１−１および図１−２は、この実施の形態にかかる情報処理装置の外観図（（その１）および（その２））である。図１−１は情報処理装置の上面図を示しており、図１−２は情報処理装置の正面図を示している。図１−１に示したように、情報処理装置１００は、ＳＤ（登録商標）メモリーカードスロット１０１、ＣＦカードスロット１０２、およびＣＦカードイジェクトボタン１０３を備えている。ＳＤ（登録商標）メモリーカードスロット１０１には、ＳＤ（登録商標）メモリーカード・ＭＭＣ（マルチメディアカード）などが挿入される。
【００２１】
ＣＦカードスロット１０２には、ＣＦカード・マイクロドライブが挿入される。ＣＦカードイジェクトボタン１０３は、ＣＦカードスロット１０２に挿入されたＣＦカードを取り出すときに押下される。ＣＦカードイジェクトボタン１０３が押下された場合には、ＣＦカードスロット１０２に挿入されたＣＦカードが、情報処理装置１００の外部へ排出される。図１−１中図示を省略するが、情報処理装置１００は、ＵＳＢコネクタを備えている。ＵＳＢコネクタには、たとえば、ＵＳＢケーブルを介してプリンタが接続される。
【００２２】
図１−２に示したように、情報処理装置１００は、高精細液晶ディスプレイ１０４、および各種操作キー１０５〜１１１を備えている。高精細液晶ディスプレイ１０４は、液晶パネルとバックライトとを備えている。高精細液晶ディスプレイ１０４は、液晶パネルに各種の操作画面や画像データを表示するとともに、液晶パネルをバックライトによって照明することによって、表示内容を表示する。
【００２３】
各種操作キー１０５〜１１１のうち、図１中符号１０５は、「Ｐｒｉｎｔ」ボタンを示している。「Ｐｒｉｎｔ」ボタン１０５が印刷可能な画面で押下された場合、高精細液晶ディスプレイ１０４には印刷設定画面が表示される。
【００２４】
各種操作キー１０５〜１１１のうち、図１−２中符号１０６は、「Ｍｅｎｕ」ボタンを示している。「Ｍｅｎｕ」ボタン１０６が押下された場合、高精細液晶ディスプレイ１０４には、「Ｍｅｎｕ」ボタン１０６が押下された時点で実行可能な操作項目が、ポップアップメニューなどで表示される。各種操作キー１０５〜１１１のうち、図１−２中符号１０７は、「↑↓←→」キー（４−Ｗａｙリング）を示している。４−Ｗａｙリング１０７の押下によって任意の項目を選択させることができる。
【００２５】
各種操作キー１０５〜１１１のうち、図１−２中符号１０８は「ＯＫ」ボタンを示している。４−Ｗａｙリング１０７の押下によって選択された項目は、「ＯＫ」ボタン１０８の押下によって確定される。図示を省略するが、たとえば、「Ｐｒｉｎｔ」ボタン１０５が選択された状態で「ＯＫ」ボタン１０８が押下された場合、プリント出力処理に関する処理が開始される。各種操作キー１０５〜１１１のうち、図１−２中符号１０９は「Ｃａｎｃｅｌ」ボタンを示している。「Ｃａｎｃｅｌ」ボタン１０９が押下された場合、「Ｃａｎｃｅｌ」ボタン１０９が押下された時点で実行中の操作が中止され、一つ前の画面が表示される。
【００２６】
各種操作キー１０５〜１１１のうち、図１−２中符号１１０は「Ｄｉｓｐｌａｙ」ボタンを示している。「Ｄｉｓｐｌａｙ」ボタン１１０が押下された場合、高精細液晶ディスプレイ１０４には、操作説明や画面の情報が表示される。各種操作キー１０５〜１１１のうち、図１−２中符号１１１は「Ｈｏｍｅ」ボタンを示している。「Ｈｏｍｅ」ボタン１１１が押下された場合、「Ｈｏｍｅ」ボタン１１１が押下された時点で実行中の操作が中止され、「ホーム画面（初期メニュー画面）」が表示される。
【００２７】
（情報処理装置のハードウエア構成）
図２は、この実施の形態にかかる情報処理装置１００のハードウエア構成図である。図２において、情報処理装置１００は、ＣＰＵ２０１と、メモリ２０２と、メモリコントローラ２０３と、ＨＤＤ（ハードディスクドライブ）２０４と、ＡＴＡ  Ｉ／Ｆ（インターフェース）２０５と、入力デバイス２０６と、汎用入出力制御ユニット２０７と、ビデオＩ／Ｆ（インターフェース）２０８と、ビデオデコーダ２０９と、ＬＥＤ（Ｌｉｇｈｔ  Ｅｍｉｔｔｉｍｇ  Ｄｉｏｄｅ）２１０と、上述した高精細液晶ディスプレイ１０４と、オーディオＩ／Ｆ（インターフェース）２１１と、オーディオデコーダ２１２と、スピーカ２１３と、ヘッドフォン２１４と、電源制御ユニット２１５と、バッテリ２１６と、を備えている。情報処理装置１００が備える各部２０１〜２１６は、それぞれバス２１７によって接続される。
【００２８】
ＣＰＵ２０１は、メモリ２０２、ＨＤＤ２０４などに記憶されたプログラムを実行することによって、情報処理装置１００全体を制御する。メモリ２０２は、情報処理装置１００の基本処理プログラムなどを記憶している。メモリ２０２としては、たとえばＲＯＭ（Ｒｅａｄ  Ｏｎｌｙ  Ｍｅｍｏｒｙ）やＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）が用いられる。また、メモリコントローラ２０３は、ＣＰＵ２０１の制御にしたがって、メモリ２０２に対するデータの読み取り／書き込みを制御する。
【００２９】
ＨＤＤ２０４は、画像データや、制御プログラムなどの各種情報を記憶する。ＨＤＤ２０４の代わりにあるいはＨＤＤ２０４に加えて、ＤＶＤ、コンパクトディスク（ＣＤ）などの着脱可能な記憶媒体による記憶装置であってもよい。また、ＨＤＤ２０４はＡＴＡ  Ｉ／Ｆ２０５によって、ＣＰＵ２０１と接続されており、このＡＴＡ  Ｉ／Ｆ２０５により、ＨＤＤ２０４に格納されているデータの読み出しおよび書き込みをおこなう。
【００３０】
入力デバイス２０６は、文字、数値、各種指示などの入力のための、たとえば図１−２に示すような各種ボタンによって構成されている。また、汎用入出力制御ユニット２０７は、入力デバイス２０６からの入出力を制御する。
【００３１】
ビデオＩ／Ｆ２０８は、ビデオデコーダ２０９を介して、上述した高精細液晶ディスプレイ１０４と接続される。このビデオＩ／Ｆ２０８は、たとえば、高精細液晶ディスプレイ１０４の全体の制御をおこなうグラフィックコントローラと、即時表示可能な画像情報を一時的に記録するＶＲＡＭ（Ｖｉｄｅｏ  ＲＡＭ）などのバッファメモリと、高精細液晶ディスプレイ１０４を表示制御する制御ＩＣなどによって構成される。
【００３２】
具体的には、ビデオＩ／Ｆ２０８は、グラフィックコントローラから出力された画像データをビデオデコーダ２０９によって復号化し、その復号化した画像データに基づいて、高精細液晶ディスプレイ１０４を表示制御する。ＬＥＤ２１０は、点灯または点滅することによって、ユーザに情報処理装置１００の状態あるいはユーザへ所定の情報（たとえば警告情報など）を告知する。
【００３３】
オーディオＩ／Ｆ２１１は、オーディオデコーダ２１２を介してスピーカ２１３およびヘッドフォン２１４に接続される。具体的には、オーディオＩ／Ｆ２１１から出力された音声データをオーディオデコーダ２１２によって復号化し、スピーカ２１３およびヘッドフォン２１４から音声出力する。
【００３４】
電源制御ユニット２１５は、ユーザによって情報処理装置１００の電源がＯＮにされた際に、バッテリ２１６からの電力を各構成部に供給する。また、ユーザによって情報処理装置１００の電源がＯＦＦにされた際には、各構成部に対する電力の供給を終了する。加えて、図示を省略するが、情報処理装置１００は、ＵＳＢコネクタに接続されたプリンタとの間で通信をおこなう通信Ｉ／Ｆを備えている。
【００３５】
（情報処理装置の機能的構成）
図３は、この実施の形態にかかる情報処理装置１００の機能的構成を示すブロック図である。図３に示したように、情報処理装置１００は、表示部３０１と、記憶部３０２と、表示制御部３０３と、光量調整部３０４と、補正部３０５と、を備えている。表示部３０１は、液晶パネル３０６とバックライト３０７とから構成されている。実施の形態では、高精細液晶ディスプレイ１０４によって表示部３０１が実現されている。記憶部３０２は、表示部３０１に画像を表示するための表示制御情報を記憶する。表示制御情報は、明度に関する情報を含む。
【００３６】
ここで、明度とは、色の属性をあらわす三要素（色相、明度、彩度）のひとつで、その色の明暗の度合いをあらわす値である。明度を数値であらわす場合、数値が高いほど、色は明るみを増すことになる。明度が１００％であれば白色、０％であれば黒色となる。明度に関する情報は、明度をあらわす数値情報であってもよいし、明度を規定する計算式をあらわす情報であってもよい。
【００３７】
また、表示制御情報には、彩度に関する情報が含まれていてもよい。ここで、彩度とは、色の属性をあらわす三要素（色相、明度、彩度）のひとつで、色の強さ，その色らしさ，色のさえ（鮮やかさ）、にぶさといった色の彩やかさをあらわす値である。彩度を上げることは色環上の同心円のある点を半径に沿って内周から外周へ移動することにあたり、彩度を下げることは色環上の同心円のある点を半径に沿って外周から内周へ移動することに相当する。彩度の値が０（なし）の場合は無彩色のグレイとなる。
【００３８】
彩度は、色の属性をあらわす三要素（色相、明度、彩度）のひとつである色相において、白や黒（グレー）が混じらない色（純色）においてもっとも高くなる。ＲＧＢでは、３色それぞれの輝度差が大きいほど彩度が高くなる。飽和度とも呼ばれる。彩度は、色覚系カラースペースの一種であるＨＳＶを構成する属性の一つでもある。彩度に関する情報は、彩度をあらわす数値情報であってもよいし彩度を規定する計算式をあらわす情報であってもよい。
【００３９】
表示制御部３０３は、液晶パネル３０６を制御して、明度に関する情報を含む表示制御情報にしたがって表示部３０１に表示内容を表示する。表示部３０１にカラー画像を表示する表示制御情報の場合、表示制御情報には彩度や色相に関する情報が含まれる。この場合、表示制御部３０３は、さらに彩度に関する情報を含む表示制御情報にしたがって表示部３０１に表示内容を表示する。光量調整部３０４は、バックライト３０７の光量を調整する。具体的に、光量調整部３０４は、たとえば、バックライト３０７に供給する電力量を調整することによって、バックライト３０７の光量を調整する。
【００４０】
補正部３０５は、光量調整部３０４によって調整された光量に応じて、上述した表示制御情報における明度の値を補正する。補正部３０５は、バックライト３０７の光量が所定の閾値を下回った場合の表示部３０１における輝度の値に応じて、明度の値を補正する。具体的に、補正部３０５は、たとえば、バックライト３０７の光量が所定の閾値を下回り、かつ、表示部３０１における輝度の値が所定の閾値未満である場合に、明度の値を高くするように補正する。逆に、補正部３０５は、たとえば、バックライトの光量が所定の閾値を下回っていても、表示部３０１における輝度の値が所定の閾値以上である場合には、明度の値を補正しない。
【００４１】
また、補正部３０５は、表示制御情報に彩度に関する情報が含まれている場合に、補正後の明度の値に応じて彩度の値を補正してもよい。この場合、具体的には、たとえば、補正後の明度の値に応じて彩度の値を高くするように補正する。補正部３０５によって表示制御情報における明度の値が補正された場合、上述した表示制御部３０３は、補正部３０５によって補正された明度の値あるいは彩度の値を用いて表示内容を表示する。
【００４２】
（情報処理装置の処理手順）
図４は、情報処理装置１００の処理手順を示すフローチャートである。つぎに、図４を用いて、この発明の実施の形態にかかる情報処理装置１００の処理手順について説明する。図４のフローチャートにおいて、まず、４−Ｗａｙリング１０７や「ＯＫ」ボタン１０８などの操作によって、高精細液晶ディスプレイ１０４における画像の表示指示があるまで待つ（ステップＳ４０１：Ｎｏ）。
【００４３】
ステップＳ４０１において、高精細液晶ディスプレイ１０４における画像の表示指示があった場合（ステップＳ４０１：Ｙｅｓ）には、ＨＤＤ２０４に記憶された情報の中から表示指示があった画像に関する表示制御情報を取得する（ステップＳ４０２）とともに、現在設定されているバックライト３０７の光量レベルを検出する（ステップＳ４０３）。そして、ステップＳ４０２において取得された表示制御情報およびステップＳ４０３において検出された光量レベルに基づいて、表示制御情報における明度の値を補正に用いる補正値を算出する（ステップＳ４０４）。なお、補正値を算出する方法としては、例えば、光量レベルと明度をパラメータとし、それぞれの値に対応する補正値を格納した２次元テーブルを準備しておき、当該２次元テーブルを参照することにより、補正値を求めるようにすればよい。
【００４４】
つづいて、ステップＳ４０４において算出された補正値にしたがって、ステップＳ４０２において取得された表示制御情報における明度の値を補正した表示制御情報（以下、「補正後の表示制御情報」という）を用いて液晶パネル３０６に表示した表示内容を、バックライト３０７によってステップＳ４０３において検出された光量レベルで照明した場合の、高精細液晶ディスプレイ１０４における輝度の値（以下、「想定される輝度の値」という）を、所定の輝度の値と比較する（ステップＳ４０５）。
【００４５】
ステップＳ４０５において、想定される輝度の値は、表示制御情報における明度の値およびバックライト３０７の光量レベルと、高精細液晶ディスプレイ１０４における実際の輝度の値と、の関係を、あらかじめ実測するなどして数値化しておくことで取得可能である。また、ステップＳ４０５において、所定の輝度の値は、一般的に利用者が見やすいと感じる輝度の値を、あらかじめ実測するなどして数値化した値である。想定される輝度の値および所定の輝度の値は、いずれも、高精細液晶ディスプレイ１０４全体に亘って平均した輝度の値である。
【００４６】
つづいて、ステップＳ４０５における比較の結果に基づいて、ステップＳ４０４において算出された補正値を用いて、ステップＳ４０２において取得された表示制御情報における明度の値を補正するか否かを判断する（ステップＳ４０６）。補正しない場合（ステップＳ４０６：Ｎｏ）には、ステップＳ４０８へ移行する。具体的には、想定される輝度の値が所定の輝度の値以下である場合には、補正をすると判定してステップＳ４０７に移行し、それ以外の場合にはステップＳ４０８へ移行する。
【００４７】
ステップＳ４０６において、明度の値を補正すると判断した場合（ステップＳ４０６：Ｙｅｓ）には、ステップＳ４０４において算出された補正値を用いて、ステップＳ４０２において取得された表示制御情報における明度の値を補正した後の明度の値になるように、ステップＳ４０２において取得された表示制御情報における明度の値を置換する（ステップＳ４０７）。
【００４８】
そして、明度の値が置換された表示制御情報にしたがって、高精細液晶ディスプレイ１０４に画像を表示する表示処理をおこなう（ステップＳ４０８）。その後、高精細液晶ディスプレイ１０４に表示する画像の次フレームがあるか否かを判断し（ステップＳ４０９）、ある場合（ステップＳ４０９：Ｙｅｓ）にはステップＳ４０２へ戻り、ない場合（ステップＳ４０９：Ｎｏ）には一連の処理を終了する。
【００４９】
（補正の概念）
図５は、この発明にかかる補正の概念を示す説明図である。図５に示したグラフにおいて、縦軸は高精細液晶ディスプレイ１０４に入力される実際の表示制御信号における明度の値をあらわしている。また、図５に示したグラフにおいて、横軸は階調レベルをあらわしている。図５に示したグラフにおいて、符号５０１，５０２で示される直線は、バックライト３０７の光量をそれぞれ異ならせて液晶パネル３０６を照射した場合の、明度の値と彩度の階調レベルとの関係をあらわしている。
【００５０】
直線５０１は、通常量とみなされる光量に調整されたバックライト３０７によって、液晶パネル３０６を照射した場合における、明度の値と彩度の階調レベルとの関係をあらわしている。実施の形態では、もっとも高い光量を１０段階に区切り、その中で高い方から５番目の光量を、通常量とみなされる光量としている。
【００５１】
直線５０２は、省電力量とみなされる光量に調整されたバックライト３０７によって、液晶パネル３０６を照射した場合における、明度の値と彩度の階調レベルとの関係をあらわしている。実施の形態では、もっとも高い光量を１０段階に区切り、その中で低い方から２番目の光量を、省電力量とみなされる光量としている。
【００５２】
図５に示したように、彩度の階調レベルは、明度の値が同一であれば、バックライト３０７の光量が低いほど高くなる傾向にある。すなわち、同一の明度の値ｘを表現する場合、直線５０１における彩度の階調レベルａよりも、バックライト３０７の光量が低い、直線５０２における彩度の階調レベルｂの方が高くなる。
【００５３】
ここで、彩度の階調レベルとは、色の変化の滑らかさをあらわす値である。彩度の階調レベルは、たとえば、パーソナルコンピュータなどの電子機器において色彩を表示する際の尺度として用いられ、中間色の色数によって数値化される。
【００５４】
具体的に、彩度の階調レベル数が多ければ多いほど、色彩は滑らかに表現できる。たとえば白黒の２階調といえば白と黒のみだけで表現することになるが、白黒１０階調となると白と黒の間に８段階の明るさの中間色（灰色）をもちいて表現することができる。
【００５５】
カラー画像の場合は、光の三原色である赤（Ｒ），緑（Ｇ），青（Ｂ）がそれぞれもつ階調レベルの数によって表現できる色数が変わる。たとえば、各色が２階調ずつある場合、表現することが可能な色の組み合わせは２の３乗である８通り、すなわち８色を表現することが可能になる。
【００５６】
（補正による輝度の値の変化）
図６〜図８は、補正による輝度の値の変化について説明する説明図（（その１）〜（その３））である。図６〜図８中、縦軸方向は、高精細液晶ディスプレイ１０４における輝度の値をあらわしており、天地方向上側ほど高い輝度の値となる。図６〜図８中、横軸方向は、時間の経過をあらわしており、左右方向右側ほど時間が経過していることをあらわしている。
【００５７】
図６〜図８中符号Ｔ１，Ｔ２，Ｔ３，Ｔ４であらわす矢印は、補正前の表示制御情報にしたがって表示された画像の、高精細液晶ディスプレイ１０４における輝度の値をあらわしている。実施の形態では、もっとも高い光量を１０段階に区切り、その中で高い方から５番目の光量を、通常量とみなされる光量としている。
【００５８】
情報処理装置１００においては、通常量とみなされる光量に調整されたバックライト３０７によって液晶パネル３０６を照射した場合にも、表示内容の見易さを向上させるために、若干の補正をおこなっている。
【００５９】
図６〜図８中符号Ｃ１，Ｃ２，Ｃ３，Ｃ４であらわすラインは、補正後の表示制御情報にしたがって表示された画像の、高精細液晶ディスプレイ１０４における輝度の値をあらわしている。実施の形態では、もっとも高い光量を１０段階に区切り、その中で低い方から２番目の光量を、省電力量とみなされる光量としている。
【００６０】
図６には、通常量とみなされる光量に調整されたバックライト３０７によって液晶パネル３０６を照射した場合におこなわれる補正による輝度の値の変化をあらわしている。図６中符号６０１は、補正に際して基準となる明度の値をあらわしている。符号６０１であらわされる、基準となる明度の値（以下、「基準値」という）は、通常量とみなされる光量に調整されたバックライト３０７によって、液晶パネル３０６を照射した場合に、高精細液晶ディスプレイ１０４における輝度の値が所望のレベルを満足するような値に設定されている。
【００６１】
たとえば、補正前の表示制御情報における明度の値が基準値６０１よりも高い場合、補正後の表示制御情報における明度の値は、補正前の表示制御情報における明度の値よりも低い値となる。逆に、補正前の表示制御情報における明度の値が基準値６０１よりも低い場合、補正後の表示制御情報における明度の値は、補正前の表示制御情報における明度の値よりも高い値となる。補正前の表示制御情報における明度の値と基準値６０１とが等しい場合、補正後の表示制御情報における明度の値は、補正前の表示制御情報における明度の値と同じ値となる。
【００６２】
図７には、省電力量とみなされる光量に調整されたバックライト３０７によって液晶パネル３０６を照射した場合におこなわれる補正による輝度の値の変化をあらわしている。図７中符号７０１は、省電力量とみなされる光量に調整されたバックライト３０７によって液晶パネル３０６を照射した場合におこなわれる補正に際して基準となる明度の値をあらわしている。
【００６３】
基準値７０１は、上述した基準値６０１と比較して高い値に設定されている。基準値６０１よりも高い値に設定された基準値７０１に合わせるように表示制御情報における明度の値を補正することで、バックライト３０７の光量を低下させた場合にも、高精細液晶ディスプレイ１０４における輝度の値を所望のレベルを満足するような値に維持することができる。
【００６４】
なお、補正に際しては、元の画像データの印象を大幅に損なうことがないように設定された、所定の限度範囲内で明度の値を補正する。情報処理装置１００においては、補正前の表示制御情報における明度の値と、補正後の表示制御情報における明度の値との差分が、当該所定の限度範囲を超える場合、図６におけるＣ１，Ｃ２あるいは図７におけるＣ３のように、所定の限度範囲内で最大量となる補正をおこなう。
【００６５】
図７に示した補正では、補正前の表示制御情報における明度の値が基準値７０１よりも高い場合、補正後の表示制御情報における明度の値は、補正前の表示制御情報における明度の値よりも低くなるように補正しているが、これにかぎるものではない。
【００６６】
図８には、省電力量とみなされる光量に調整されたバックライト３０７によって液晶パネル３０６を照射した場合におこなわれる、別の方法にしたがった補正による輝度の値の変化をあらわしている。図８に示した補正では、補正前の表示制御情報における明度の値が基準値７０１よりも高い場合、補正をおこなわず、基準値７０１よりも高い値のままとしている。これにより、補正後の表示制御情報における明度の値は、基準値よりも高くなる。
【００６７】
上述したように、実施の形態の情報処理装置１００によれば、高精細液晶ディスプレイ１０４に表示される情報の見かけ上の輝度を維持したまま、バックライト３０７の光量を確実に低下させることができる。これによって情報処理装置１００は、高精細液晶ディスプレイ１０４に表示された表示内容の視認性を低下させることなく、省電力化を図ることができる。そして、これによって情報処理装置１００の利用者は、情報が見易く表示された情報処理装置１００を長時間使用することができる。
【００６８】
また、この発明にかかる情報処理装置１００によれば、表示制御情報における元の明度の値に応じて、明度の値を必要時に限って補正することができる。これによって情報処理装置１００は、明度の値の補正にかかる処理負担を抑制しつつ、高精細液晶ディスプレイ１０４に表示された表示内容の視認性を低下させることなく、省電力化を図ることができる。そして、これによって情報処理装置１００の利用者は、情報が見易く表示された情報処理装置１００を長時間使用することができる。
【００６９】
また、実施の形態の情報処理装置１００によれば、表示制御情報における元の明度の値に応じて、高精細液晶ディスプレイ１０４に表示された表示内容の見かけ上の輝度が、利用者が見やすいとされる輝度に到達していない場合に限って、明度の値を補正することができる。これによって情報処理装置１００は、明度の値の補正にかかる処理負担を抑制しつつ、高精細液晶ディスプレイ１０４における表示内容の視認性を低下させることなく、省電力化を図ることができる。そして、これによって情報処理装置１００の利用者は、情報が見易く表示された情報処理装置１００を長時間使用することができる。
【００７０】
また、実施の形態の情報処理装置１００によれば、バックライト３０７の光量が所定の閾値を下回っていても高精細液晶ディスプレイ１０４に表示された表示内容の見かけ上の輝度が、利用者が見やすいとされる輝度に到達している場合には、明度の値の補正にかかる処理を省くことができる。これによって情報処理装置１００は、明度の値の補正にかかる処理負担を抑制しつつ、高精細液晶ディスプレイ１０４における表示内容の視認性を低下させることなく、省電力化を図ることができる。そして、これによって情報処理装置１００の利用者は、情報が見易く表示された情報処理装置１００を長時間使用することができる。
【００７１】
また、実施の形態の情報処理装置１００によれば、バックライト３０７の光量を低下させることによってコントラストが低下することが想定される場合には、彩度の値を補正することで表示画面に表示される情報のくすみを改善することができるので、高精細液晶ディスプレイ１０４に表示される情報の見かけ上の輝度を維持したまま、バックライト３０７の光量を確実に低下させることができる。これによって情報処理装置１００は、高精細液晶ディスプレイ１０４に表示される情報の視認性を低下させることなく、省電力化を図ることができる。そして、これによって情報処理装置１００の利用者は、情報が見易く表示された情報処理装置１００を長時間使用することができる。
【００７２】
また、実施の形態の情報処理装置１００によれば、「明度の値が或る範囲内にあると色を認識し易く、明度の値が或る範囲外にあると色を認識しにくくなる傾向にある」、および、「彩度および明度が低い色（黒に近い色）である方が、色を認識しにくい傾向にある」という人間の視覚における色視覚特性にしたがって、彩度の値が高くなるように補正することで、高精細液晶ディスプレイ１０４における表示内容のくすみ感を効果的に改善することができるので、高精細液晶ディスプレイ１０４における表示内容の見かけ上の輝度を維持したまま、バックライト３０７の光量を確実に低下させることができる。これによって情報処理装置１００は、高精細液晶ディスプレイ１０４における表示内容の視認性を低下させることなく、省電力化を図ることができる。そして、これによって情報処理装置１００の利用者は、情報が見易く表示された情報処理装置１００を長時間使用することができる。
【００７３】
ところで、上述したように、バックライト３０７の光量を低下させた場合、通常量の光量で液晶パネル３０６を照射した場合と同等の視認性を維持するためには、彩度の階調レベルを高くする必要がある。しかしながら、従来の液晶パネルを用いた場合、液晶パネルの能力上の問題から、彩度の階調レベルを高くしても、高くした分に相応する高画質の画像を表示することができなかった。
【００７４】
これに対し、実施の形態の情報処理装置１００は高精細液晶ディスプレイ１０４を備えているために、表現できる彩度の階調レベルの範囲が従来の液晶パネルにおける彩度の階調レベルと比較して大幅に広くすることができる。これによって、バックライト３０７の光量を低下させ、彩度の階調レベルを高くした場合にも、高くした分に相応する高画質の画像を表示することができる。
【００７５】
このように、実施の形態の情報処理装置１００によれば、表示制御情報における明度の値に加えて彩度の値を補正することで、高精細液晶ディスプレイ１０４に表示された表示内容の視認性を低下させることなく、省電力化を図ることができる。
【００７６】
以上説明したように、情報処理装置１００は、高精細液晶ディスプレイ１０４に表示された表示内容の視認性を低下させることなく、省電力化を図ることができる。そして、これによって情報処理装置１００の利用者は、情報が見易く表示された情報処理装置１００を長時間使用することができる。
【００７７】
なお、以上の実施の形態では、図４に示すフローチャートにおいて、バックライト３０７の光量レベルと、表示制御情報の補正後の明度の値とから予想される輝度の値を算出し、当該予想される輝度の値と、所定の輝度の値を比較することにより、補正をするか否かを判定するようにした。しかしながら、例えば、バックライト３０７の光量レベルと、それぞれの光量レベルにおいて補正が必要となる明度の値（基準値）とを対応付けしたテーブルを準備しておき、光量レベルに基づいて前述した基準値をテーブルから取得し、当該基準値と表示制御情報の明度の値とを比較し、補正が必要か否かを判定するようにしてもよい。
【００７８】
すなわち、図６，７に示す縦軸が明度を示し、横軸が時間を示すとすると、バックライト３０７の光量レベルに応じて、前述した基準値をテーブルから取得する。例えば、通常量と見なされる光量レベルに調整されたバックライト３０７の場合は、図６の基準値６０１が取得され、省電力量とみなされる光量レベルに調整されたバックライト３０７の場合には図７の基準値７０１が取得される。そして、それぞれの基準値６０１，７０１と表示制御情報の明度の値とを比較し、明度の値が基準値未満である場合には補正し、それ以外の場合には補正をしないようにする。なお、補正を行う際に、最大の補正量を定めておき、基準値６０１，６０７と明度の値との差が当該最大の補正量を超える場合には、最大の補正量を補正量として定めるようにしてもよい。そのような方法によれば、元の画像データの印象を大幅に損なうことなく、補正を実行できる。
【００７９】
（他の実施の形態）
【００８０】
以下、他の実施の形態について説明する。本発明の他の実施の形態では、図３に示す構成において、液晶パネル３０６として広域液晶パネル３０６Ａが採用されている。その他の構成は、図３の場合と同様であるので、その説明は省略する。
【００８１】
図９は、広域液晶パネル３０６Ａの構成例を示している。図９（Ａ）は、液晶パネル３０６Ａの画素の配置状況を示している。また、図９（Ｂ）は通常の液晶パネル３０６の画素の配置状況を示している。図９（Ｂ）に示すように、通常の液晶パネル３０６では、Ｒ（Red）Ｇ（Green）Ｂ（Blue）の３色の画素がマトリクス状に配置されて構成されている。一方、図９（Ａ）に示すように、広域液晶パネル３０６Ａでは、Ｒ，Ｂの他に、ＹＧ（Yellow Green）とＥＧ（Emerald Green）の４種類の画素がマトリクス状に配置されて構成されている。
【００８２】
なお、広域液晶パネル３０６Ａは、内蔵されている駆動回路（不図示）により、表示制御部３０３から供給されたＲ，Ｇ，Ｂデータを、色域を拡大する演算処理によって、Ｒ’，ＹＧ，ＥＧ，Ｂ’データに変換し、これにより図９（Ａ）に示す４種類の画素を有する広域液晶パネル３０６Ａを駆動する。
【００８３】
図１０は、広域液晶パネル３０６Ａが表現可能な色域（カラースペース）を示す図である。この例では、広域液晶パネル３０６Ａの色域と、ＮＴＳＣ（National Television System Committee）の色域と、ＮＴＳＣ５０％の色域とを比較している。この例に示すように、広域液晶パネル３０６Ａは、ＮＴＳＣ５０％およびＮＴＳＣの色域よりも広い色域を網羅している。すなわち、広域液晶パネル３０６Ａは、「表示内容」としてのコンテンツよりも広い色域を有している。
【００８４】
つぎに、図１１を参照して、本発明の他の実施の形態の動作について説明する。図１１は、通常の液晶パネル３０６と、広域液晶パネル３０６Ａのそれぞれが表現可能な色のＨＳＢ（Hue Saturation Brightness）モデルと、コンテンツの色域との関係を示す概念図である。なお、図１１（Ａ）は、通常の液晶パネル３０６のＨＳＢモデルを示し、図１１（Ｂ）は広域液晶パネル３０６ＡのＨＳＢモデルを示している。図１１（Ａ），（Ｂ）のそれぞれにおいて、角度方向は「色相（Hue）」を示し、半径方向は「彩度（Saturation）」を示し、垂直方向は「明るさ（Brightness）」を示す。なお、明度は、図の上に行くほど、明るさが暗くなるように表されている。
【００８５】
図１１（Ａ）に示す通常の液晶パネル３０６と、図１１（Ｂ）に示す広域液晶パネル３０６Ａを比較すると、広域液晶パネル３０６Ａの方が、表現可能な色域が広がっているため、図中に示す立体の底面の面積が広くなっている。消費電力を削減するためには、バックライト３０７の光量レベルを下げる必要があるが、光量レベルを下げると、明るさが下がるため、表現可能な彩度の範囲を示す破線で示す「円」は、図１１のそれぞれのグラフの上方向に移動することになる。立体の頂点に近づくにつれて、当該「円」の面積が狭くなることから、表現可能な彩度が狭まることになる。
【００８６】
図１１（Ａ）に示す通常の液晶パネル３０６の場合には、表現可能な色域は、コンテンツの色域とほぼ同じ色域となっているので、バックライト３０７の光量を下げた場合に、彩度が飽和する（コンテンツの色域が立体の側面に接する）のは、明るさがｂｒ１のポイントとなる。一方、図１１（Ａ）に示す広域液晶パネル３０６Ａの場合には、表現可能な色域は、コンテンツの色域よりも広くなっているので、バックライト３０７の光量を下げた場合に、彩度が飽和するのは、明るさがｂｒ２（＜ｂｒ１）のポイントとなる。したがって、広域液晶パネル３０６Ａの方が、彩度を飽和させることなく光量をより下げることが可能となる。
【００８７】
以上に説明したように、本発明の他の実施の形態では、広域液晶パネル３０６Ａを利用するようにしたので、彩度が飽和しない状態で、バックライト３０７の光量をより下げることが可能になる。これにより、消費電力を一層低減することが可能になる。
【００８８】
なお、以上の実施の形態では、広域液晶パネル３０６Ａとして、Ｒ，ＹＧ，ＥＧ，Ｂの４種類の画素からなる液晶パネルを例に挙げて説明したが、本発明は、このような液晶パネルに限定されるものではなく、他の広域液晶パネルを利用するようにしてもよい。
【００８９】
なお、実施の形態では、高精細液晶ディスプレイ１０４を備える携帯型の電子機器における省電力化を図るようにしたが、この発明の適用は携帯型の電子機器にかぎるものではない。液晶パネル３０６における表示内容をバックライト３０７を用いて照明する表示部３０１を備える電子機器であれば、たとえば、液晶駆動のプロジェクタなどのように設置位置を固定して使用する電子機器に対して、この発明を適用することができる。
【図面の簡単な説明】
【００９０】
【図１−１】この実施の形態にかかる情報処理装置の外観図（その１）。
【図１−２】この実施の形態にかかる情報処理装置の外観図（その２）。
【図２】この実施の形態にかかる情報処理装置のハードウエア構成図。
【図３】この実施の形態にかかる情報処理装置の機能的構成を示すブロック図。
【図４】情報処理装置の処理手順を示すフローチャート。
【図５】この発明にかかる補正の概念を示す説明図。
【図６】補正による輝度の値の変化について説明する説明図（その１）。
【図７】補正による輝度の値の変化について説明する説明図（その２）。
【図８】補正による輝度の値の変化について説明する説明図（その３）。
【図９】液晶パネルの他の構成例。
【図１０】図９に示す液晶パネルの色域を示す説明図。
【図１１】明度と彩度の関係を示す図。
【符号の説明】
【００９１】
１００  情報処理装置、３０１  表示部、３０３  表示制御部、３０４  光量調整部、３０５  補正部、３０６  液晶パネル、３０６Ａ  広域液晶パネル、３０７  バックライト
【図１−１】
2008112133.tif 000003
【図１−２】
2008112133.tif 000004
【図２】
2008112133.tif 000005
【図３】
2008112133.tif 000006
【図４】
2008112133.tif 000007
【図５】
2008112133.tif 000008
【図６】
2008112133.tif 000009
【図７】
2008112133.tif 000010
【図８】
2008112133.tif 000011
【図９】
2008112133.tif 000012
【図１０】
2008112133.tif 000013
【図１１】
2008112133.tif 000014